(57)【要約】【課題】  挾み変えを不要とするしおりを、葉書として使用できるようにして、葉書として送付された後は、使用者にとって印象深く、或は宣伝効果が一層大きいしおりとして使用できるようにする。【解決手段】  葉書部１、葉書部１の上縁２の付近に連結部３、しおり部４、を有し、連結部３としおり部４とを葉書部１につなぎ止めておく短いつなぎ部５を複数個、備えている。【選択図】      図１
2005212472.tif 000002
【特許請求の範囲】
【請求項１】
葉書部１、葉書部１の上縁２の付近に連結部３、しおり部４、を有し、連結部３としおり部４とを葉書部１につなぎ止めておく短いつなぎ部５を複数個、備えていることを特徴とするしおり機能を持つ葉書。
【請求項２】
しおり部４の上縁部分６は、葉書部１の上縁２よりも少し突出して形成されていることを特徴とする請求項１のしおり機能を持つ葉書。
【請求項３】
つなぎ部５は、しおり部４の下縁部分を除く位置に設けられていることを特徴とする請求項１、又は２のしおり機能を持つ葉書。
【発明の詳細な説明】
【技術分野】
【０００１】  この発明は、通常の葉書として送付することができ、送付された者はこの後、挾み変え不要なしおりとして使用できるように工夫されたにしおり機能を持つ葉書に関する。
【背景技術】
【０００２】  読書を中断する際、挾み変えを不要とするしおりとして、従来、実用新案登録第３０５１２５０号が知られている。
上記挾み変えを不要とするしおりは、しおりの本体である保持部に、しおり部、上部連結部、垂直連結部、などの切り込みを設けたものである。
読書の際は、保持部と垂直連結部の下部とを書籍に挾み込んだままとし、書籍の頁を繰るに伴い、しおり部の下縁が繰られた頁の上縁部分を滑って上部連結部の弾性によってしおり部を見開き頁に自動的に案内するものである。
このため、読書中断に際して書籍を閉じれば、今までの見開き頁に常にしおり部が挾み込まれていることになり、挾み変えが不要で次回の読書に便利となっている。
【発明の開示】
【発明が解決しようとする課題】
【０００３】  しおりは、読書中の書籍に使用されるとき、中断を再開する際に使用者の目に触れ易いものである。
従って、知人からの便りの葉書として送付された後に、しおりとして使用されれば、使用者にとって印象深いものとなる。
或は商品や事業の広告、宣伝の媒体の葉書として送付された後に、しおりとして使用されれば、宣伝効果は一層大きいものとなる。
このような観点からみると、上記実用新案登録第３０５１２５０号のしおりは、しおりの本体である保持部に、しおり部、上部連結部、垂直連結部、などの切り込みを設けたものであり、保持部に対してしおり部、上部連結部、垂直連結部、などがふらつくので、このままでは葉書としては使用することはできない。
この発明は、前記挾み変えを不要とするしおりが、葉書として使用できるように工夫して、葉書として送付された後に、しおりとして使用されることにより、使用者にとって印象深く、或は宣伝効果が一層大きいしおり機能を持つ葉書となるようにしたものである。
また、この発明は、新たに読書を始める際、書籍に葉書部を挾み込んだとき、しおり部を葉書部から外して見開き頁に挾み込み易いように工夫したしおり機能を持つ葉書を提供することを目的としている。
さらにこの発明は、しおり部を葉書部につないでいるつなぎ部を切断したとき、切断切り口が万一、滑らかでなくても、頁が繰られるとき、しおり部の下縁部分が頁の上縁にひっかからずに、滑らかに滑ることができるように工夫したしおり機能を持つ葉書を提供することを目的としている。
【課題を解決するための手段】
【０００４】  上記課題を解決するためこの発明は、葉書部１、葉書部１の上縁２の付近に連結部３、しおり部４、を有し、連結部３としおり部４とを葉書部１につなぎ止めておく短いつなぎ部５を複数個、備えていることを特徴とするしおり機能を持つ葉書である。【０００５】  そして、しおり部４の上縁部分６は、葉書部１の上縁２よりも少し突出して形成されていることが望ましい。
この少し突出して形成されている上縁部分６に指がかかり易くなり、これにより、しおり部４を葉書部１から容易に外して見開き頁にしおり部４を挾み込むことができる。【０００６】  つなぎ部５は、しおり部４の下縁部分を除く位置に設けられていることが望ましい。
これにより、つなぎ部５を切断したとき、切断切り口が万一、滑らかでなくても、頁が繰られるとき、しおり部４の下縁部分が頁の上縁にひっかからずに、滑らかに滑ることができる。
【発明の効果】
【０００７】  請求項１の発明のしおり機能を持つ葉書によれば、葉書部１の上縁２の付近にもうけてある連結部３、しおり部４は、複数個の短いつなぎ部５によって葉書部１につなぎ止められているので、通常の葉書として使用できるものである。
そして、葉書として送付された後に、つなぎ部５を切断することにより、直ちにしおりとして使用できる。
知人からの便りの葉書として送付されたものは、しおりとして使用されるとき、使用者にとって印象深いものとなる。
或は商品や事業の広告、宣伝の媒体として送付されたものは、しおりとして使用されるとき、宣伝効果は一層大きいものとなる。【０００８】  そして、しおり部４の上縁部分６は、葉書部１の上縁２よりも少し突出して形成されている請求項２の発明のしおり機能を持つ葉書によれば、少し突出して形成されている上縁部分６に指がかかり易くなり、これにより、しおり部４を葉書部１から容易に外して見開き頁にしおり部４を挾み込むことができる。【０００９】  また、つなぎ部５が、しおり部４の下縁部分を除く位置に設けられている請求項３の発明のしおり機能を持つ葉書によれば、つなぎ部５を切断したとき、切断切り口が万一、滑らかでなくても、頁が繰られるとき、しおり部４の下縁部分が頁の上縁にひっかからずに、滑らかに滑ることができる。
【発明を実施するための最良の形態】
【００１０】  以下この発明を実施するための最良の形態を図に基づき説明する。
図１はこの発明の一実施の形態に係るしおり機能を持つ葉書の正面図、図２はその裏面図、図３は図の葉書をしおりとして使用する際の正面図であり、図４は、書籍に使用している状態を示した斜視図である。【００１１】  葉書部１は、通常の私製葉書として私用が許されている紙質と大きさを備えるものであり、図４のように、書籍１１の表紙１２と頁部分、又は、裏表紙１３と頁部分との間にこの葉書部１が挾まれることになる。
葉書部１の上縁２の付近に連結部３、しおり部４、を有し、連結部３としおり部４とを葉書部１につなぎ止めておく短いつなぎ部５を、複数個、備えている。
しおり部４の紙質は、弾力性を備えたものが望ましく、プラスチックも良い。【００１２】  図示例では、つなぎ部５は、連結部３と葉書部１との境目に２個所、しおり部４と葉書部１の上縁２との境目に１個所が、それぞれ形成されていて、これら３個のつなぎ部５以外の部分は、図１の実線で示すように、切り込みが設けられている。
これらのつなぎ部５は、その長さが約０．５ｍｍ程度であり、ナイフの刃先を用いて葉書部１からこのつなぎ部５を容易に切断できるようにしている。
従って、すべてのつなぎ部５を切断したときは、葉書部１からしおり部４が、葉書部１への付け根部分を除き、分離されることになる。【００１３】  しおり部４の上縁部分６は、葉書部１の上縁２よりも少し突出して形成されている。
少し突出して形成されているこの上縁部分６に指がかかり易くなり、これにより、しおり部４を葉書部１から容易に外して見開き頁にしおり部４を容易に挾み込むことができるようにしている。【００１４】  しおり部４は、その下縁部分が、図示のように正面視で滑らかな曲線にて形成されるのが望ましい。読書の際、頁が繰られるとき、しおり部４の下縁部分が頁の上縁にひっかからずに、滑らかに滑ることができるためである。【００１５】  つなぎ部５は、しおり部４の下縁部分を除く位置に設けられるのが望ましい。
つなぎ部５をナイフの刃先を用いて切断したとき、切断切り口が万一、滑らかでなくても、頁が繰られるとき、しおり部４の下縁部分が頁の上縁にひっかからずに、滑らかに滑ることができるようにするためである。
つなぎ部５は、葉書として送付される際に、葉書部１から連結部３、しおり部４が剥がれることが無い程度の、短い長さに形成されていれば十分である。【００１６】  葉書部１の表面側は、図１のように送付先が書き込まれることになる。
そして、葉書部１の裏面側には、図２に例示する広告文が印刷されている。
裏面側には、ほかに風景絵、写真、百人一首とその読み人の絵姿、美術絵画など、を印刷することもできる。
或は、白紙のままとしておいて、ここに通信文を書き入れることでもよい。【００１７】  次ぎに、上記この発明の一実施の形態に係るしおり機能を持つ葉書を、しおりとして使用する方法について、図３、図４により説明する。
先ず、図３のようにすべてのつなぎ部５を切断して、葉書部１からしおり部４を、葉書部１への付け根部分を除き、分離する。
そして、図４のように、しおり部４のつなぎ部５が書籍１１の頁部分の上縁部分から上方へ突出しかつ、しおり部４の下縁部分が頁部分の上縁部分に少し入り込むようにしつつ、葉書部１を書籍１１の表紙１２と頁部分、又は、裏表紙１３と頁部分との間に挾み込む。
これにより、現在の見開き頁には、しおり部４が挾みこまれることになる。
この状態で頁を繰ると、繰る頁の移動に伴って、しおり部４の弾性や連結部３の弾性によってしおり部４が繰る頁の上縁部分の上方に上がって、繰る頁が通過した後、しおり部４が再び下方へ下がり、自動的に次ぎの頁に挿入されることになる。
【図面の簡単な説明】
【００１８】
【図１】    この発明のしおり機能を持つ葉書の正面図である。
【図２】    図１の裏面図である。
【図３】    上記葉書をしおりとして使用する際の正面図である。
【図４】    図３のしおりを書籍に使用している状態を示した斜視図である。
【符号の説明】
【００１９】  １    葉書部
２    上縁
３    連結部
４    しおり部
５    つなぎ部
６    上縁部分
１１    書籍
１２    表紙
１３    裏表紙
【図１】
2005212472.tif 000003
【図２】
2005212472.tif 000004
【図３】
2005212472.tif 000005
【図４】
2005212472.tif 000006